(57)【要約】【課題】飲料容器の挿入及び取出しが、飲料をこぼさず容易に実施でき、かつ保持されているときには走行中の揺れにより飲料容器が動かない飲料容器ホルダーを提供する。【解決手段】飲料容器が挿入されるホルダー本体と、飲料容器を支持する支持体と、ホルダー本体の側面にあり、前記支持体が収納される支持体収納部と、支持体収納部の側面に形成されたガイド溝に沿ってガイドして支持体を水平方向に移動可能にし、かつ支持体を回転可能にするヒンジピンと、支持体をホルダー本体中心部に向けて弾性的に突出させるスプリングと、を含んでなっている。特に、支持体は、その先端部が曲面状に突出しており、スプリングは、その一端部が支持体にある空間に、他端が支持体収納部に形成された固定部に連結されているのがよい。【選択図】図５
2006056504.tif 000002
【特許請求の範囲】
【請求項１】
飲料容器が挿入されるホルダー本体と、
飲料容器を支持する支持体と、
前記ホルダー本体の側面にあり、前記支持体が収納される支持体収納部と、
前記支持体収納部の側面に形成されたガイド溝に沿ってガイドして前記支持体を水平方向に移動可能にし、かつ前記支持体を回転可能にするヒンジピンと、
前記支持体をホルダー本体中心部に向けて弾性的に突出させるスプリングと、を含むことを特徴とする自動車用飲料容器ホルダー。
【請求項２】
前記支持体は、その先端部が曲面状に突出していることを特徴とする請求項１に記載の自動車用飲料容器ホルダー。
【請求項３】
前記支持体は、その上端が前記支持体収納部上端に回転可能に固定されていることを特徴とする請求項１に記載の自動車用飲料容器ホルダー。
【請求項４】
前記支持体は、その内部に前記スプリングの一部が挿入される空間をもつことを特徴とする請求項１に記載の自動車用飲料容器ホルダー。
【請求項５】
前記スプリングは、その一端が前記支持体の空間に、他端が前記支持体収納部に形成された固定部に連結されていることを特徴とする請求項１に記載の自動車用飲料容器ホルダー。
【発明の詳細な説明】
【技術分野】
【０００１】
本発明は自動車用飲料容器ホルダーに関する。より詳しくは、多様な飲料容器に対して出し入れが簡単で、挿入された飲料容器を動きなく保持できる自動車用飲料容器ホルダーに関する。
【背景技術】
【０００２】
自動車には、飲物のカップや缶など飲料容器を保持させる飲料容器ホルダーが、コンソールボックス、シートバックの後面部に、あるいは運転者の付近に装着されている。このような飲料容器ホルダーは、飲料容器の出し入れが容易なように上部が開放された形体で、所定の位置に形成させたり、または引出して使用するようになっている。しかし、従来の飲料容器ホルダーは、カップや缶の形状、大きさをある範囲に想定して作られており、自動車の走行中に飲料容器がホルダーにぶつかって音を出したり、走行中の揺れによって飲料がこぼれるなどの問題があった。
【０００３】
そこで、種々の改善策が採られており、例えば図９のようなホルダー本体１００の飲料容器挿入部１１０内側壁にラバー１２０を付けたタイプ、図１０のような弾性的に作用する支持部材２００を設けて、飲料容器４００を支持することができるようにしたタイプがある。しかし、ラバー１２０を付けたタイプでは長期間使用するとラバー１２０に永久的な変形が生じてその機能が充分でなくなったり、支持部材２００を設けたタイプでは飲料容器４００を上方へ取出す時に飲料容器４００の下端部が支持部材２００に引っ掛かって支持部材２００を変形させたりする問題がある。また、図１１のような支持部材２００’がヒンジ３００の下に位置する構造のものがあるが、この構造では飲料容器４００が満杯であるとき飲料容器４００を支えきれずに倒れるという問題がある。また、図１２のような飲料容器４００の収納方向と略直角方向にボタン式の支持部材２００”が出ている構造もあるが、この方式では飲料容器４００を収納する時に力が必要であり、材質が紙である場合には、飲料容器が潰れることがあり、さらに中間が凹んだ形状の飲料容器４００が取出し難くいという問題点がある。
【０００４】
最近でも自動車用飲料容器ホルダーについて多くの提案があり、例えば、簡単な操作でカップ類の外径あるいは高さに合ったホールド径、ホールド高さを選択し得てカップ類を安定に保持する自動車用のカップホルダー〔特許文献１参照〕、多様なサイズの飲み物容器を安定的に支持できる共に、飲み物容器の流動により発生する音や飲み物がこぼれてしまう問題を解消できる自動車用カップホルダー〔特許文献２参照〕、色々な大きさの缶、瓶、コップ、カップなどの容器を、安定に固定でき、使い勝手が良く、構造の簡単な車両用飲料容器ホルダー〔特許文献３参照特開２００５−１１２３３２〕、車体の傾斜方向にかかわらず飲料水がこぼれるのをより確実に防止可能な飲料容器ホルダー〔特許文献４参照特開２００５−１７８４１１〕、多様な大きさ、種類のカップに対応できる自動車用のカップホルダー〔特許文献５参照〕がある。
【０００５】
【特許文献１】特開２００１−２３３１１１号公報
【特許文献２】特開２００５−１１２３３０号公報
【特許文献３】特開２００５−１１２３３２号公報
【特許文献４】特開２００５−１７８４１１号公報
【特許文献５】特開２０００−２２９５２９号公報
【発明の開示】
【発明が解決しようとする課題】
【０００６】
上記問題点を解決すべく、本発明の目的は飲料容器の挿入及び取出しが、飲料をこぼさず容易に実施でき、かつ保持されているときには走行中の揺れにより飲料容器が動かない飲料容器ホルダーを提供することにある。
【課題を解決するための手段】
【０００７】
本発明の自動車用飲料容器ホルダーは、飲料容器が挿入されるホルダー本体と、飲料容器を支持する支持体と、ホルダー本体の側面にあり、前記支持体が収納される支持体収納部と、支持体収納部の側面に形成されたガイド溝に沿ってガイドして支持体を水平方向に移動可能にし、かつ支持体を回転可能にするヒンジピンと、支持体をホルダー本体中心部に向けて弾性的に突出させるスプリングと、を含んで構成されている。特に、支持体は、その先端部が曲面状に突出しており、スプリングは、その一端部が支持体にある空間に、他端が支持体収納部に形成された固定部に連結されているのが好ましい。また、支持体は、その上端が前記支持体収納部上端に回転可能に固定されていてもよい。
【発明の効果】
【０００８】
本発明による自動車用飲料容器ホルダーによれば、飲料容器の挿入、取出しが容易であり、かつ飲料容器をその形状や大きさに関係なく飲料がこぼれないように堅固に支持することができる。これにより使用者は、安心感をもちながら多様な飲料容器を使用することができる。
【発明を実施するための最良の形態】
【０００９】
本発明は、自動車用飲料容器ホルダーに関するが、ここで飲料容器は、カップの他、ボトル、缶など自動車の中で運転者、乗客が飲用にする飲料の入った容器全般を包括している。以下、添付図面を参照して、本発明の詳細を説明する。
【００１０】
本発明における第１の実施の形態を図１〜６に示した。図１及び図２は自動車用飲料容器ホルダーを示す斜視図であり、図３（Ａ）及び（Ｂ）は飲料容器支持体を示す斜視図であり、図４〜６は自動車用飲料容器ホルダーの作動状態を示す図面である。
【００１１】
本発明の飲料容器ホルダー５０は、ホルダー本体１０に囲まれた中央が飲料容器挿入部１１となり、飲料容器４０の支持体２０が、ヒンジピン２１によりホルダー本体１０に結合され、さらに支持体が収納される支持体収納部１２からなっている。
【００１２】
支持体２０は、その先端部５１が曲面状に突出しているのが好ましく、スプリング３０によって弾力的にホルダー本体１０の中心部に向って突出するように形成され、かつヒンジピン２１によって回転可能になっている。すなわち、スプリング３０は、一端が支持体２０に接し、他端が支持体収納部１２に接して、支持体２０をホルダー本体１０の中心部に向って突出するように弾性的な力が働いている。このとき、前記支持体２０の内部にはスプリング３０の端部が挿入される空間をもち、他方支持体収納部１２にはスプリング３０の端部が固定される固定部１２ａをもち、スプリング３０の両末端がそれぞれで固定されているのが好ましい。
【００１３】
また、支持体２０には、その両側面にヒンジピン２１が一体に形成され、ヒンジピン２１は、支持体収納部１２のガイド溝１３に移動可能に取り付けられる。この構造により、飲料容器挿入部１１に飲料容器４０が挿入されると、支持体２０の先端部５１に力が加えられ、ヒンジピン２１がガイド溝１３に沿って移動することで支持体２０が水平方向に移動し、かつヒンジピン２１を基準にして支持体２０が回転して飲料容器４０の挿入が可能となる。飲料容器４０が挿入された後では、支持体２０の先端部５１の曲面が飲料容器４０に接触して押すように力が働き飲料容器４０を弾性的に保持する。図１においては、ホルダー本体１０に支持体２０が一つ描かれているが、支持体は二つ以上あってもよい。
【００１４】
図７および８は、本発明の第２実施形態による自動車用飲料容器ホルダーを示す図面である。第２実施形態による飲料容器ホルダーは、支持体２０の上端２２が左右に突出しており、これが支持体収納部１２の上端２４にある溝２６に挿入されて、支持体２０が支持体収納部１２に回転可能に取付けられる。これにより支持体２０が支持体収納部１２から離脱されないようになる。
【００１５】
図８の点線を参照すれば、飲料容器４０が飲料容器挿入部１１に挿入されるとき、支持体２０はヒンジピン２１を軸にして時計方向に回転して飲料容器挿入部１１を拡げる。このとき、支持体２０の上端２２が溝２６に回転可能に固定されているので、支持体２０は過度な力が加えられても支持体収納部１２から離脱することがない。
【００１６】
以上述べた本発明の自動車用飲料容器ホルダーについて、使用するときの状況を説明する。
飲料容器４０が飲料容器挿入部１１に挿入されていないときは、飲料容器ホルダーの支持体２０が飲料容器挿入部１１の中心方向に向って露出されている。この状態で飲料容器４０が挿入されると、飲料容器４０の荷重、あるいは飲料容器４０を持つ人の力によって支持体２０の先端部５１が押され、ヒンジピン２１がガイド溝１３に沿って移動して支持体２０を水平方向（図５の矢印方向）に移動させ、同時に支持体２０がヒンジピン２１を軸にして回転（図５の点線方向）して飲料容器挿入部１１を拡げて飲料容器４０の挿入を可能にする。飲料容器４０を引き出すときはその逆となるが、図６に示されているように凹んだ部分を有する飲料容器４０の場合には、先端部５１が飲料容器４０の凹んだ面に沿って回転する（図６の点線及び矢印参照）ので、飲料容器４０を容易に取出すことができる。
【産業上の利用可能性】
【００１７】
飲料容器の挿入、取出しが容易であり、かつ飲料容器の形状や大きさに関係なく飲料がこぼれないように堅固に支持することができる。これにより使用者は、安心感をもちながら多様な飲料容器を使用することができる。
【図面の簡単な説明】
【００１８】
【図１】本発明の第１実施形態による自動車用飲料容器ホルダーを示す斜視図である。
【図２】本発明の第１実施形態による自動車用飲料容器ホルダーを示す斜視図である。
【図３】本発明の第１実施形態による自動車用飲料容器ホルダーの支持体を示す斜視図である。
【図４】本発明の第１実施形態による自動車用飲料容器ホルダーの作動状態を示す図である。
【図５】本発明の第１実施形態による自動車用飲料容器ホルダーの作動状態を示す図である。
【図６】本発明の第１実施形態による自動車用飲料容器ホルダーの作動状態を示す作動図である。
【図７】本発明の第２実施形態による自動車用飲料容器ホルダーを示す図面である。
【図８】本発明の第２実施形態による自動車用飲料容器ホルダーを示す図面である。
【図９】従来の技術による自動車用飲料容器ホルダーを示す図面である。
【図１０】従来の技術による自動車用飲料容器ホルダーを示す図面である。
【図１１】従来の技術による自動車用飲料容器ホルダーを示す図面である。
【図１２】従来の技術による自動車用飲料容器ホルダーを示す図面である。
【符号の説明】
【００１９】
１０、１００  ホルダー本体
１１、１１０  飲料容器挿入部
１２    支持体収納部
１２ａ  固定部
１３    ガイド溝
２０    支持体
２１    ヒンジピン
２２    支持体の上端
２４    支持体収納部の上端
２６    支持体収納部の上端にある溝
３０    スプリング
４０、４００  飲料容器
５０    飲料容器ホルダー
５１    支持体の先端部
１２０  ラバー
２００、２００’、２００”  支持部材
３００  ヒンジ
【図１】
2006056504.tif 000003
【図２】
2006056504.tif 000004
【図３】
2006056504.tif 000005
【図４】
2006056504.tif 000006
【図５】
2006056504.tif 000007
【図６】
2006056504.tif 000008
【図７】
2006056504.tif 000009
【図８】
2006056504.tif 000010
【図９】
2006056504.tif 000011
【図１０】
2006056504.tif 000012
【図１１】
2006056504.tif 000013
【図１２】
2006056504.tif 000014